(57)【要約】【課題】  特開平９−０８９３５０号公報等に開示された従来の塗装ブース用空調装置に比べて空気通路の全長が短縮された塗装ブース用空調装置を提供する。【解決手段】  外気流入口と空調空気流出口とを有する空気通路と、相互に切り替え可能な予備加熱加湿機能と冷却除湿機能とを有し空気通路内に配設された予備加熱加湿手段兼冷却除湿手段と、空気通路内に配設された加熱手段とを備え、空気通路内の空気流に関して予備加熱加湿手段兼冷却除湿手段は加熱手段よりも上流に配設されている。【選択図】  図２
2007162996.tif 000002
【特許請求の範囲】
【請求項１】
外気流入口と空調空気流出口とを有する空気通路と、相互に切り替え可能な予備加熱加湿機能と冷却除湿機能とを有し空気通路内に配設された予備加熱加湿手段兼冷却除湿手段と、空気通路内に配設された加熱手段とを備え、空気通路内の空気流に関して予備加熱加湿手段兼冷却除湿手段は加熱手段よりも上流に配設されていることを特徴とする塗装ブース用空調装置。
【請求項２】
外気流入口と空調空気流出口とを有する空気通路と、予備加熱手段と、相互に切り替え可能な加湿機能と冷却除湿機能とを有し空気通路内に配設された加湿手段兼冷却除湿手段と、空気通路内に配設された加熱手段とを備え、空気通路内の空気流に関して予備加熱手段は加湿手段兼冷却除湿手段よりも上流に配設され、加湿手段兼冷却除湿手段は加熱手段よりも上流に配設されていることを特徴とする塗装ブース用空調装置。
【請求項３】
加湿機能と冷却除湿機能とは何れも散水により実現され、空気通路は、加熱手段以外の空調手段が配設された第１空気通路と、加熱手段が配設された第２空気通路とを有し、第１空気通路の断面積は第２空気通路の断面積よりも小さな値に設定されていることを特徴とする請求項１又は２に記載の塗装ブース用空調装置。
【請求項４】
第１空気通路は上下に延在し、第２空気通路は第１空気通路の下方で水平に延在していることを特徴とする請求項３に記載の塗装ブース用空調装置。
【発明の詳細な説明】
【技術分野】
【０００１】
本発明は、塗装ブース用空調装置に関するものである。
【背景技術】
【０００２】
外気流入口と空調空気流出口とを有する空気通路と、空気通路内に且つ空気通路内の空気流に関して上流から下流へ向けて順次配設された予備加熱手段と、加湿手段と、冷却除湿手段と、加熱手段とを備えることを特徴とする塗装ブース用空調装置が特許文献１等に開示されている。
上記塗装ブース用空調装置においては、冬季には、外気流入口から空気通路へ流入した低温低湿度の外気は、予備加熱手段により図１に実線矢印αで示すように予備加熱され、次いで加湿手段により図１に実線矢印βで示すように加湿され、次いで加熱手段により図１に実線矢印γで示すように加熱されて、塗装作業に好適な温度と湿度とを有する空調空気に改質される。
夏季には、外気流入口から空気通路へ流入した高温多湿の外気は、加湿手段により図１に破線矢印δで示すように加湿され、冷却除湿手段により図１に破線矢印εで示すように冷却除湿され、加熱手段により図１に破線矢印ζで示すように加熱されて、塗装作業に好適な温度と湿度とを有する空調空気に改質される。
【特許文献１】特開平９−０８９３５０号公報
【発明の開示】
【発明が解決しようとする課題】
【０００３】
特許文献１等に開示された従来の塗装ブース用空調装置には、予備加熱手段と、加湿手段と、冷却除湿手段と、加熱手段とが相互に独立しているので、空気通路の全長が過大になるという問題がある。
本発明は上記問題に鑑みてなされたものであり、特許文献１等に開示された従来の塗装ブース用空調装置に比べて空気通路の全長が短縮された塗装ブース用空調装置を提供することを目的とする。
【課題を解決するための手段】
【０００４】
上記課題を解決するために、本発明においては、外気流入口と空調空気流出口とを有する空気通路と、相互に切り替え可能な予備加熱加湿機能と冷却除湿機能とを有し空気通路内に配設された予備加熱加湿手段兼冷却除湿手段と、空気通路内に配設された加熱手段とを備え、空気通路内の空気流に関して予備加熱加湿手段兼冷却除湿手段は加熱手段よりも上流に配設されていることを特徴とする塗装ブース用空調装置を提供する。
本発明に係る塗装ブース用空調装置においては、冬季には予備加熱加湿手段兼冷却除湿手段の予備加熱加湿手段の部分と、加熱手段とが作動して、低温低湿度の外気を塗装作業に好適な温度と湿度とを有する空調空気に改質し、夏季には予備加熱加湿手段兼冷却除湿手段の冷却除湿手段の部分と加熱手段とが作動して、高温多湿の外気を塗装作業に好適な温度と湿度とを有する空調空気に改質する。
本発明に係る塗装ブース用空調装置においては、従来相互に独立していた予備加熱手段と加湿手段と冷却除湿手段とを、予備加熱加湿手段兼冷却除湿手段に纏めることにより、空気通路の全長を従来に比べて短縮している。
【０００５】
本発明においては、外気流入口と空調空気流出口とを有する空気通路と、予備加熱手段と、相互に切り替え可能な加湿機能と冷却除湿機能とを有し空気通路内に配設された加湿手段兼冷却除湿手段と、空気通路内に配設された加熱手段とを備え、空気通路内の空気流に関して予備加熱手段は加湿手段兼冷却除湿手段よりも上流に配設され、加湿手段兼冷却除湿手段は加熱手段よりも上流に配設されていることを特徴とする塗装ブース用空調装置を提供する。
本発明に係る塗装ブース用空調装置においては、冬季には予備加熱手段と、加湿手段兼冷却除湿手段の加湿手段の部分と、加熱手段とが作動して、低温低湿度の外気を塗装作業に好適な温度と湿度とを有する空調空気に改質し、夏季には加湿手段兼冷却除湿手段の冷却除湿手段の部分と、加熱手段とが作動して、高温多湿の外気を塗装作業に好適な温度と湿度とを有する空調空気に改質する。
本発明に係る塗装ブース用空調装置においては、従来相互に独立していた加湿手段と冷却除湿手段とを、加湿手段兼冷却除湿手段に纏めることにより、空気通路の全長を従来に比べて短縮している。
【０００６】
本発明の好ましい態様においては、加湿機能と冷却除湿機能とは何れも散水により実現され、空気通路は、加熱手段以外の空調手段が配設された第１空気通路と、加熱手段が配設された第２空気通路とを有し、第１空気通路の断面積は第２空気通路の断面積よりも小さな値に設定されている。
特許文献１等に開示された従来の塗装ブース用空調装置においては、空気通路の断面積は外気流入口から空調空気流出口まで一定である。また空気通路を通過する空気から塵埃を除去するロールフィルターが空気通路内に配設されている。加湿機能と冷却除湿機能とを何れも散水により実現するように塗装ブース用空調装置を構成し、且つ散水が行なわれる第１空気通路の断面積を狭くすれば、冬季にも夏季にも、塗装ブース用空調装置を通過する空気に高密度の散水を浴びせることができるので、散水のみにより空気中の塵埃を充分に除去することができる。この結果、ロールフィルターの廃止が可能になり、空気通路の全長が更に短縮される。
【０００７】
本発明の好ましい態様においては、第１空気通路は上下に延在し、第２空気通路は第１空気通路の下方で水平に延在している。
特許文献１等に開示された従来の塗装ブース用空調装置においては、空気通路全体が水平に延在しており、塵埃の多い低層空気が空気通路内に取り込まれるという問題がある。第１空気通路を上下に延在させ、第２空気通路を第１空気通路の下方で水平に延在させることにより、塵埃の少ない上層空気を空気通路に取り込むことが可能になる。
【発明の効果】
【０００８】
本発明に係る塗装ブース用空調装置においては、従来相互に独立していた予備加熱手段と加湿手段と冷却除湿手段とを、予備加熱加湿手段兼冷却除湿手段に纏めたので、空気通路の全長が従来に比べて短縮されている。
【発明を実施するための最良の形態】
【０００９】
本発明の実施例に係る斜板式圧縮機を説明する。
【実施例１】
【００１０】
図２に示すように、塗装ブース用空調装置Ａは、上下に延在する第１空気通路１と、第１空気通路１の下方で水平に延在する第２空気通路２とを備えている。第１空気通路の上端は、外気流入口３を形成している。外気流入口３の上方にフード４が配設されている。第１空気通路１の下端は、第２空気通路２の一端に接続している。第２空気通路２の他端は空調空気流出口５を形成している。第１空気通路１の断面積は第２空気通路２の断面積よりも小さな値に設定されている。
第１空気通路１内にスプレイ６が配設されている。スプレイ６から吐出した水をスプレイ６へ循環させる循環回路７が配設されている。循環回路７の上流端はスプレイ６下方の第２空気通路底壁に形成されたピット８に接続している。循環回路７の途上には、上流端のピット８から下流端のスプレイ６へ向けて、ストレーナ９、冷水で循環水を冷却する第１熱交換機１０、循環ポンプ１１、高温蒸気で循環水を加熱する第２熱交換器１２が、順次配設されている。スプレイ６から第２熱交換器１２に至る諸部材は、予備加熱加湿装置兼冷却除湿装置１３を形成している。
第２空気通路２内に、第１空気通路１の下端に接続する一端から空調空気流出口５を形成する他端へ向けて、水滴除去用のエリミネータ１４、高温蒸気を熱源とするヒータ１５、フィルター１６、ファン１７が、順次配設されている。ファン１７の排気口は空調空気流出口５に接続している。
空調空気流出口５はダクトＢを介して、図示しない塗装ブースに接続している。
【００１１】
上記構成を有する塗装ブース用空調装置Ａの作動を説明する。
冬季には、第１熱交換機１０への冷水の供給が停止され、ポンプ１１が作動し、第２熱交換機１２への高温蒸気の供給がなされて、予備加熱加湿装置兼冷却除湿装置１３の予備加熱加湿装置の部分が作動し、第１空気通路１内で、スプレイ６から温水が散水される。また第２空気通路２内でヒータ１５とファン１７とが作動する。
外気流入口３から第１空気通路１へ流入した低温低湿度の外気は、第１空気通路１内で温水の散水を浴びて図３に実線矢印ａで示すように予備加熱加湿され、第２空気通路２内でヒータ１５を通過して図３に実線矢印ｂで示すように加熱されて、塗装作業に好適な温度と湿度とを有する空調空気に改質される。
【００１２】
夏季には、第１熱交換機１０へ冷水が供給され、ポンプ１１が作動し、第２熱交換機１２への高温蒸気の供給が停止されて、予備加熱加湿装置兼冷却除湿装置１３の冷却除湿装置の部分が作動し、第１空気通路１内で、スプレイ６から低温の水が散水される。また第２空気通路２内でヒータ１５とファン１７とが作動する。
外気流入口３から第１空気通路１へ流入した高温多湿の外気は、第１空気通路１内で低温水の散水を浴びて図３に破線矢印ｃで示すように冷却除湿され、第２空気通路２内でヒータ１５を通過して図３に破線矢印ｄで示すように加熱されて、塗装作業に好適な温度と湿度とを有する空調空気に改質される。
【００１３】
塗装ブース用空調装置Ａにおいては、従来相互に独立していた予備加熱手段と加湿手段と冷却除湿手段とを、予備加熱加湿装置兼冷却除湿装置１３に纏めることにより、空気通路の全長を従来に比べて短縮している。
【００１４】
特許文献１等に開示された従来の塗装ブース用空調装置においては、空気通路の断面積は外気流入口から空調空気流出口まで一定である。また空気通路を通過する空気から塵埃を除去するロールフィルターが空気通路内に配設されている。塗装ブース用空調装置Ａにおいては、冬季における低湿度外気の加湿も、夏季における多湿外気の除湿も、スプレイ６からの散水により実現しており、散水が行なわれる第１空気通路１の断面積を狭くすれば、冬季にも夏季にも、当該空気通路を通過する空気に高密度の散水を浴びせることができるので、散水のみにより空気中の塵埃を充分に除去することができる。この結果、従来の塗装ブース用空調装置で必要とされたロールフィルターの廃止が可能になり、空気通路の全長が更に短縮される。
【００１５】
特許文献１等に開示された従来の塗装ブース用空調装置においては、空気通路全体が水平に延在しており、塵埃の多い低層空気が空気通路内に取り込まれるという問題がある。第１空気通路１を上下に延在させ、第２空気通路２を第１空気通路１の下方で水平に延在させることにより、塵埃の少ない上層空気を空気通路に取り込むことが可能になる。
【実施例２】
【００１６】
高温蒸気の提供を受けられない場合には、第２熱交換器１２を廃止し、図２に一点鎖線で示すように、空気通路１内の空気流に介してスプレイ６よりも上流側にバーナー１８を配設する。空気通路１内の空気流に介してスプレイ６の直近下流に金網、グレーチング等の気液接触促進部材１９を配設する。ヒータ１５の熱源も高温燃焼ガスに変更する。スプレイ６からポンプ１１に至る諸部材は、加湿装置兼冷却除湿装置１３’を形成する。
【００１７】
冬季には、バーナー１８が作動する。第１熱交換機１０への冷水の供給が停止され、ポンプ１１が作動して、加湿装置兼冷却除湿装置１３’の加湿装置の部分が作動し、第１空気通路１内でスプレイ６から散水が行なわれる。また第２空気通路２内でヒータ１５とファン１７とが作動する。
外気流入口３から第１空気通路１へ流入した低温低湿度の外気は、第１空気通路１内でバーナー１８の高温燃焼ガスに暴露されて図３に一点鎖線矢印ｅに示すように予備加熱され、次いで散水を浴びて図３に一点鎖線矢印ｆで示すように加湿され、第２空気通路２内でヒータ１５を通過して図３に実線矢印ｂで示すように加熱されて、塗装作業に好適な温度と湿度とを有する空調空気に改質される。
気液接触促進部材１９の配設により、加熱空気と散水との接触面積が増加し、予備加熱された空気の加湿が促進される。
【００１８】
夏季には、バーナー１８の作動が停止する。第１熱交換機１０へ冷水が供給され、ポンプ１１が作動して、加湿装置兼冷却除湿装置１３’の冷却除湿装置の部分が作動し、第１空気通路１内で、スプレイ６から低温の水が散水される。また第２空気通路２内でヒータ１５とファン１７とが作動する。
外気流入口３から第１空気通路１へ流入した高温多湿の外気は、第１空気通路１内で低温水の散水を浴びて図３に破線矢印ｃで示すように冷却除湿され、第２空気通路２内でヒータ１５を通過して図３に破線矢印ｄで示すように加熱されて、塗装作業に好適な温度と湿度とを有する空調空気に改質される。
【００１９】
第２実施例に係る塗装ブース用空調装置Ａにおいては、従来相互に独立していた加湿手段と冷却除湿手段とを、加湿手段兼冷却除湿装置１３’に纏めることにより、空気通路の全長を従来に比べて短縮している。
【産業上の利用可能性】
【００２０】
本発明は、塗装ブース用空調装置に広く利用可能である。
【図面の簡単な説明】
【００２１】
【図１】従来の塗装ブース用空調装置の作動を示す空気線図である。
【図２】本発明の実施例に係る塗装ブース用空調装置の機器配置図である。
【図３】本発明の実施例に係る塗装ブース用空調装置の作動を示す空気線図である。
【符号の説明】
【００２２】
Ａ  塗装ブース用空調装置
Ｂ  ダクト
１  第１空気通路
２  第２空気通路
３  外気流入口
５  空調空気流出口
６  スプレイ
７  循環回路
１０  第１熱交換機
１１  ポンプ
１２  第２熱交換機
１３  予備加熱加湿装置兼冷却除湿装置
１３’  加湿装置兼冷却除湿装置
１５  ヒータ
１７  ファン
１８  バーナー
１９  気液接触促進部材
【図１】
2007162996.tif 000003
【図２】
2007162996.tif 000004
【図３】
2007162996.tif 000005